(57)【要約】【課題】移動通信端末間の呼接続の確立時におけるユーザの違和感の低減を図ることができる通信装置、移動通信端末、通信システム、及び通信方法を提供する。【解決手段】ＳＩＰサーバ３は、要求受信部３０１と、セッション判定部３０２と、着信通知送信部３０３と、応答情報受信部３０４と、指示情報送信部３０５とを備えている。要求受信部３０１は、移動通信端末２ａから呼接続要求を受信する。セッション判定部３０２は、ＰＤＰコンテキストを用いて情報を送受信できるか否かを判定する。着信通知送信部３０３は、着信通知をＳＭＳによって送信するように送信指示情報を送信する。応答情報受信部３０４は、着信通知を送信したことに応じて、移動通信端末２ｂから応答情報を受信する。指示情報送信部３０５は、応答情報を受信した場合に移動通信端末２ａに呼び出し音の再生を指示する指示情報を送信する。【選択図】  図１
2010141811.tif 000002
【特許請求の範囲】
【請求項１】
移動体通信網上において、第１の移動通信端末と第２の移動通信端末との間の呼接続を確立する通信装置であって、
前記第１の移動通信端末から当該第１の移動通信端末を特定する特定情報及び前記第２の移動通信端末を特定する特定情報を含む呼接続要求を受信する要求受信手段と、
前記要求受信手段によって前記呼接続要求を受信した場合に、前記第２の移動通信端末と前記移動体通信網との間で確立される呼接続用のセッションを用いて前記第２の移動通信端末との間で情報を送受信できるか否かを判定する判定手段と、
前記判定手段によって前記セッションを用いて情報の送受信ができないと判定された場合に、前記要求受信手段によって受信した前記呼接続要求に基づいて、当該第２の移動通信端末に着信通知を前記セッション以外の手段によって送信する着信通知送信手段と、
前記着信通知送信手段によって前記第２の移動通信端末に前記着信通知を送信したことに応じて、前記第２の移動通信端末から前記着信通知に対して応答することを示す応答情報を受信する応答情報受信手段と、
前記応答情報受信手段によって前記第２の移動通信端末から前記応答情報を受信した場合に、前記第１の移動通信端末に呼び出し音の再生を指示する指示情報を送信する指示情報送信手段と、
前記指示情報送信手段によって前記第１の移動通信端末に前記指示情報を送信した後、前記第１の移動通信端末及び前記第２の移動通信端末の間の呼接続を確立する呼接続確立手段と、
を備えることを特徴とする通信装置。
【請求項２】
前記着信通知は、前記第１の移動通信端末の前記特定情報を含むことを特徴とする請求項１記載の通信装置。
【請求項３】
前記呼接続確立手段によって前記第１の移動通信端末及び前記第２の移動通信端末の間の呼接続の確立を行う前の状態において、前記第１の移動通信端末から呼接続の確立の中断を要求する中断要求情報を受信する中断要求情報受信手段と、
前記中断要求情報受信手段によって前記中断要求情報を受信し、前記判定手段によって前記セッションを用いて情報の送受信ができないと判定された場合に、呼接続の確立が中断されたことを示す中断情報を前記第２の移動通信端末に前記セッション以外の手段によって送信する中断情報送信手段と、を更に備え、
前記呼接続確立手段は、前記中断情報送信手段によって前記中断情報を前記第２の移動通信端末に送信した後に、前記第１の移動通信端末及び前記第２の移動通信端末の間の呼接続の確立を中断することを特徴とする請求項１又は２記載の通信装置。
【請求項４】
前記呼接続確立手段によって前記第１の移動通信端末及び前記第２の移動通信端末の間の呼接続の確立を行う前の状態において、前記第１の移動通信端末から呼接続の確立の中断を要求する中断要求情報を受信する中断要求情報受信手段と、
前記中断要求情報受信手段によって受信された前記中断情報を一時的に保持する保持手段と、
前記第２の移動通信端末から前記セッションを用いて送信された情報を受信して、前記保持手段に保持されている前記中断情報を前記第２の移動通信端末に前記セッションによって送信する中断情報送信手段と、を更に備え、
前記呼接続確立手段は、前記中断情報送信手段によって前記中断情報を前記第２の移動通信端末に送信した後に、前記第１の移動通信端末及び前記第２の移動通信端末の間の呼接続の確立を中断することを特徴とする請求項１又は２記載の通信装置。
【請求項５】
移動体通信網上において、別の移動通信端末との間に呼接続が確立されることによって通信を行う移動通信端末であって、
前記別の移動通信端末から当該別の移動通信端末を特定する特定情報を含む着信通知を、前記移動通信端末と前記移動体通信網との間で確立される呼接続用のセッション以外の手段によって受信する着信通知受信手段と、
前記着信通知受信手段によって前記着信通知を受信した場合に、当該着信通知に応答することを示す応答情報を送信する応答情報送信手段と、
前記着信通知受信手段によって前記着信通知を受信した場合に、前記別の移動通信端末の前記特定情報に基づいて、前記移動通信端末が呼び出しを開始するように制御する制御手段と、
を備えることを特徴とする移動通信端末。
【請求項６】
呼接続の確立が中断されたことを示す中断情報を受信する中断情報受信手段と、
前記中断情報受信手段によって前記中断情報を受信した場合に、前記移動通信端末の呼び出しを中断するように制御する制御手段と、
を備えることを特徴とする請求項５記載の移動通信端末。
【請求項７】
移動体通信網上において、別の移動通信端末との間に呼接続が確立されることによって通信を行う移動通信端末と、当該移動体通信網上において、第１の移動通信端末と第２の移動通信端末との間の呼接続を確立する通信装置とを含む通信システムであって、
前記移動通信端末は、
前記別の移動通信端末から送信された当該別の移動通信端末を特定する特定情報を含む着信通知を、前記移動通信端末と前記移動体通信網との間で確立される呼接続用のセッション以外の手段によって前記通信装置から受信する着信通知受信手段と、
前記着信通知受信手段によって前記着信通知を受信した場合に、当該着信通知に応答することを示す応答情報を前記通信装置に送信する応答情報送信手段と、
前記着信通知受信手段によって前記着信通知を受信した場合に、前記別の移動通信端末の前記特定情報に基づいて、前記移動通信端末が呼び出しを開始するように制御する制御手段と、を備え、
前記通信装置は、
前記第１の移動通信端末から当該第１の移動通信端末を特定する特定情報及び前記第２の移動通信端末を特定する特定情報を含む呼接続要求を受信する要求受信手段と、
前記要求受信手段によって前記呼接続要求を受信した場合に、前記第２の移動通信端末と前記移動体通信網との間で確立される呼接続用のセッションを用いて前記第２の移動通信端末との間で情報を送受信できるか否かを判定する判定手段と、
前記判定手段によって前記セッションを用いて情報の送受信ができないと判定された場合に、前記要求受信手段によって受信した前記呼接続要求に基づいて、当該第２の移動通信端末に前記第１の移動通信端間の前記特定情報を含む着信通知を前記セッション以外の手段によって送信する着信通知送信手段と、
前記着信通知送信手段によって前記第２の移動通信端末に前記着信通知を送信したことに応じて、前記第２の移動通信端末から前記着信通知に対して応答することを示す応答情報を受信する応答情報受信手段と、
前記応答情報受信手段によって前記第２の移動通信端末から前記応答情報を受信した場合に、前記第１の移動通信端末に呼び出し音の再生を指示する指示情報を送信する指示情報送信手段と、
前記指示情報送信手段によって前記第１の移動通信端末に前記指示情報を送信した後、前記第１の移動通信端末及び前記第２の移動通信端末の間の呼接続を確立する呼接続確立手段と、
を備えることを特徴とする通信システム。
【請求項８】
移動体通信網上において、前記第１の移動通信端末と前記第２の移動通信端末との間の呼接続を確立する通信装置による通信方法であって、
前記第１の移動通信端末から当該第１の移動通信端末を特定する特定情報及び前記第２の移動通信端末を特定する特定情報を含む呼接続要求を受信する要求受信ステップと、
前記要求受信ステップにおいて前記呼接続要求を受信した場合に、前記第２の移動通信端末と前記移動体通信網との間で確立される呼接続用のセッションを用いて前記第２の移動通信端末との間で情報を送受信できるか否かを判定する判定ステップと、
前記判定ステップにおいて前記セッションを用いて情報の送受信ができないと判定された場合に、前記要求受信手段によって受信した前記呼接続要求に基づいて、当該第２の移動通信端末に着信通知を前記セッション以外の手段によって送信する着信通知送信ステップと、
前記着信通知送信ステップにおいて前記第２の移動通信端末に前記着信通知を送信したことに応じて、前記第２の移動通信端末から前記着信通知に対して応答することを示す応答情報を受信する応答情報受信ステップと、
前記応答情報受信ステップにおいて前記第２の移動通信端末から前記応答情報を受信した場合に、前記第１の移動通信端末に呼び出し音の再生を指示する指示情報を送信する指示情報送信ステップと、
前記指示情報送信ステップにおいて前記第１の移動通信端末に前記指示情報を送信した後、前記第１の移動通信端末及び前記第２の移動通信端末の間の呼接続を確立する呼接続確立ステップと、
を含むことを特徴とする通信方法。
【請求項９】
移動体通信網上において、別の移動通信端末との間に呼接続が確立されることによって通信を行う移動通信端末による通信方法であって、
前記別の移動通信端末から当該別の移動通信端末を特定する特定情報を含む着信通知を、前記移動通信端末と前記移動体通信網との間で確立される呼接続用のセッション以外の手段によって受信する着信通知受信ステップと、
前記着信通知受信ステップにおいて前記着信通知を受信した場合に、当該着信通知に応答することを示す応答情報を送信する応答情報送信ステップと、
前記着信通知受信ステップにおいて前記着信通知を受信した場合に、前記別の移動通信端末の前記特定情報に基づいて、前記移動通信端末が呼び出しを開始するように制御する制御ステップと、
を含むことを特徴とする通信方法。
【請求項１０】
移動体通信網上において、別の移動通信端末との間に呼接続が確立されることによって通信を行う移動通信端末と、当該移動体通信網上において、第１の移動通信端末と第２の移動通信端末との間の呼接続を確立する通信装置とを含む通信システムによる通信方法であって、
前記移動通信端末が、
前記別の移動通信端末から送信された当該別の移動通信端末を特定する特定情報を含む着信通知を、前記移動通信端末と前記移動体通信網との間で確立される呼接続用のセッション以外の手段によって前記通信装置から受信する着信通知受信ステップと、
前記着信通知受信ステップにおいて前記着信通知を受信した場合に、当該着信通知に応答することを示す応答情報を前記通信装置に送信する応答情報送信ステップと、
前記着信通知受信ステップにおいて前記着信通知を受信した場合に、前記別の移動通信端末の前記特定情報に基づいて、前記移動通信端末が呼び出しを開始するように制御する制御ステップと、を含み、
前記通信装置が、
前記第１の移動通信端末から当該第１の移動通信端末を特定する特定情報及び前記第２の移動通信端末を特定する特定情報を含む呼接続要求を受信する要求受信ステップと、
前記要求受信ステップにおいて前記呼接続要求を受信した場合に、前記第２の移動通信端末と前記移動体通信網との間で確立される呼接続用のセッションを用いて前記第２の移動通信端末との間で情報を送受信できるか否かを判定する判定ステップと、
前記判定ステップにおいて前記セッションを用いて情報の送受信ができないと判定された場合に、前記要求受信手段によって受信した前記呼接続要求に基づいて、当該第２の移動通信端末に着信通知を前記セッション以外の手段によって送信する着信通知送信ステップと、
前記着信通知送信ステップにおいて前記第２の移動通信端末に前記着信通知を送信したことに応じて、前記第２の移動通信端末から前記着信通知に対して応答することを示す応答情報を受信する応答情報受信ステップと、
前記応答情報受信ステップにおいて前記第２の移動通信端末から前記応答情報を受信した場合に、前記第１の移動通信端末に呼び出し音の再生を指示する指示情報を送信する指示情報送信ステップと、
前記指示情報送信ステップにおいて前記第１の移動通信端末に前記指示情報を送信した後、前記第１の移動通信端末及び前記第２の移動通信端末の間の呼接続を確立する呼接続確立ステップと、
を含むことを特徴とする通信方法。
【発明の詳細な説明】
【技術分野】
【０００１】
本発明は、通信装置、移動通信端末、通信システム、及び通信方法に関する。
【背景技術】
【０００２】
近年、３ＧＰＰ（3rd GenerationPartnership Project）準拠のシステムを始めとする移動体通信システムでは、移動体通信網のコアネットワーク技術をＩＭＳ（IP Multimedia Subsystem）ネットワークに移行する傾向にある。ＩＭＳネットワークは、ＳＩＰ（Session InitiatedProtocol）という通信プロトコルを用い、データ通信だけでなく音声や動画のリアルタイム通信を実現するマルチメディアサービスを提供できるネットワークである。特許文献１には、ＩＭＳネットワークを備える移動体通信システムが記載されている。
【特許文献１】特開２００７−６０１８１号公報
【発明の開示】
【発明が解決しようとする課題】
【０００３】
ところで、３ＧＰＰ準拠のシステム等では、上記ＩＭＳネットワークと通信をするために、ＩＭＳ用のＰＤＰ(Packet DataProtocol)コンテキスト（GPRS(General Packet Radio Service)におけるパケットセッション）を確立し、インターネットと通信するためには、インターネット用のＰＤＰコンテキストを移動通信端末と移動体通信網との間に確立（設定）する必要がある。また、ＩＭＳネットワークを用いて音声発着信をする場合にあっては、ＩＭＳ用のＰＤＰコンテキストを発着信中常に確立しておく必要がある。そのため、例えばインターネットを使用しながら音声発着信をするためには、上記２つのＰＤＰコンテキストを同時に確立する必要があるが、以下のような問題がある。
【０００４】
すなわち、２つのＰＤＰコンテキストを同時に制御するための呼処理のソフトウェアが複雑化するため、システムの開発コストが増大するといった問題がある。また、移動衛星通信システムにおいては、通信路の容量が少ないため、無線区間で２つのＰＤＰコンテキストを確立することができないといった問題もある。従って、現状では、音声発着信又はインターネット用のＰＤＰコンテキストを音声発着信又はインターネット通信の度に確立する必要がある。
【０００５】
ここで、例えばインターネット用のＰＤＰコンテキストが確立されている状態で、移動通信端末が他の移動通信端末から着信を受けた場合には、ＩＭＳ用のＰＤＰコンテキストを確立する必要がある。そして、移動通信端末は、このＩＭＳ用のＰＤＰコンテキストが確立されることにより、他の移動通信端末からの着信通知をＳＩＰによって受信することになる。このとき、ＰＤＰコンテキストの確立には時間を必要とするため、セッション確立までの間、発信側の移動通信端末では呼び出し音（リングバックトーン：ＲＢＴ）が鳴らず、無音時間が継続する。特に、伝播遅延が大きい移動衛星通信システムでは、無音時間が長時間継続するおそれがあり、ユーザが違和感を覚えるといった問題が生じる。
【０００６】
本発明は、以上の問題点を解決するためになされたものであり、移動通信端末間の呼接続の確立時におけるユーザの違和感の低減を図ることができる通信装置、移動通信端末、通信システム、及び通信方法を提供することを目的とする。
【課題を解決するための手段】
【０００７】
上記の目的を達成するために、本発明に係る通信装置は、移動体通信網上において、第１の移動通信端末と第２の移動通信端末との間の呼接続を確立する通信装置であって、第１の移動通信端末から第１の移動通信端末を特定する特定情報及び第２の移動通信端末を特定する特定情報を含む呼接続要求を受信する要求受信手段と、要求受信手段によって呼接続要求を受信した場合に、第２の移動通信端末と移動体通信網との間で確立される呼接続用のセッションを用いて第２の移動通信端末との間で情報を送受信できるか否かを判定する判定手段と、判定手段によってセッションを用いて情報の送受信ができないと判定された場合に、要求受信手段によって受信した呼接続要求に基づいて、第２の移動通信端末に着信通知をセッション以外の手段によって送信する着信通知送信手段と、着信通知送信手段によって第２の移動通信端末に着信通知を送信したことに応じて、第２の移動通信端末から着信通知に対して応答することを示す応答情報を受信する応答情報受信手段と、応答情報受信手段によって第２の移動通信端末から応答情報を受信した場合に、第１の移動通信端末に呼び出し音の再生を指示する指示情報を送信する指示情報送信手段と、指示情報送信手段によって第１の移動通信端末に指示情報を送信した後、第１の移動通信端末及び第２の移動通信端末の間の呼接続を確立する呼接続確立手段と、を備えることを特徴とする。
【０００８】
この構成により、第１の移動通信端末から呼接続の確立要求を受信すると、セッションを用いて第２の移動通信端末と情報の送受信ができるか否かを判定し、セッションを用いて情報の送受信ができないと判定された場合には、セッション以外の手段によって着信通知を第２の移動通信端末に送信する。そして、この着信通知を送信したことに応じて第２の移動通信端末から応答情報を受信した場合には、第１の移動通信端末に呼び出し音の再生を指示する指示情報を送信する。これにより、第２の移動通信端末において、呼接続用（発着信用）のセッション（例えば、ＩＭＳ用のＰＤＰコンテキスト）を確立する前に、着信通知をセッション以外の手段によって受信することができるので、第２の移動通信端末が呼び出しを開始できる。そのため、その呼び出しに応じて第１の移動通信端末の呼び出し音を再生させるための指示情報を早いタイミングで送信することができる。従って、セッションを新たに確立するために時間を要した場合であっても、セッションが確立するまでの間、第１の移動通信端末では呼び出し音が再生され、第１の移動通信端末が無音状態になることがない。その結果、移動通信端末間の呼接続の確立時におけるユーザの違和感の低減を図ることができる。
【０００９】
また、着信通知は、第１の移動通信端末の特定情報を含んでいることが好適である。この構成により、着信通知を受けた第２の移動通信端末では、発信先をセッションが確立する前に認識することができる。
【００１０】
また、呼接続確立手段によって第１の移動通信端末及び第２の移動通信端末の間の呼接続の確立を行う前の状態において、第１の移動通信端末から呼接続の確立の中断を要求する中断要求情報を受信する中断要求情報受信手段と、中断要求情報受信手段によって中断要求情報を受信し、判定手段によってセッションを用いて情報の送受信ができないと判定された場合に、呼接続の確立が中断されたことを示す中断情報を第２の移動通信端末にセッション以外の手段によって送信する中断情報送信手段と、を更に備え、呼接続確立手段は、中断情報送信手段によって中断情報を第２の移動通信端末に送信した後に、第１の移動通信端末及び第２の移動通信端末の間の呼接続の確立を中断することが好適である。
【００１１】
従来では、第１の移動通信端末の呼接続の確立の要求に応じて第２の移動通信端末のセッションが確立した後に、第２の移動通信端末に着信が通知される。そのため、セッションの確立前に第１の移動通信端末が発信を中止した場合であっても、第２の移動通信端末では発信が中止されたことを知り得ないため、セッションが確立されると第２の移動通信端末の呼び出しが開始される。このとき、第２の移動通信端末が呼び出しに応答した（ユーザが電話に出た）場合には、第１の移動通信端末が発信を中止しているので、無音状態になるといった問題があった。そこで、本発明に係る通信装置では、セッションが確立する前に第１の移動通信端末から呼接続を中断する中断要求情報を受信した場合には、その旨を示す中断情報をセッション以外の手段によって第２の移動通信端末に送信する。これにより、セッションが確立する前に第１の移動通信端末が発信を中止した場合であっても、第２の移動通信端末の着信を中止することができる。従って、第１の移動通信端末が発信を中止した後に第２の移動通信端末が呼び出しに応答することを防止することができる。
【００１２】
また、呼接続確立手段によって第１の移動通信端末及び第２の移動通信端末の間の呼接続の確立を行う前の状態において、第１の移動通信端末から呼接続の確立の中断を要求する中断要求情報を受信する中断要求情報受信手段と、中断要求情報受信手段によって受信された中断情報を一時的に保持する保持手段と、第２の移動通信端末からセッションを用いて送信された情報を受信して、保持手段に保持されている中断情報を第２の移動通信端末にセッションによって送信する中断情報送信手段と、を更に備え、呼接続確立手段は、中断情報送信手段によって中断情報を第２の移動通信端末に送信した後に、第１の移動通信端末及び第２の移動通信端末の間の呼接続の確立を中断することが好適である。
【００１３】
従来では、第１の移動通信端末の呼接続の確立の要求に応じて第２の移動通信端末のセッションが確立した後に、第２の移動通信端末に着信が通知される。そのため、セッションの確立前に第１の移動通信端末が発信を中止した場合であっても、第２の移動通信端末では発信が中止されたことを知り得ないため、セッションが確立されると第２の移動通信端末の呼び出しが開始される。このとき、第２の移動通信端末が呼び出しに応答した場合には、第１の移動通信端末が発信を中止しているので、無音状態になるといった問題があった。そこで、本発明に係る通信装置では、セッションが確立する前に第１の移動通信端末から呼接続を中断する中断要求情報を受信した場合には、その中断情報を一時的に保持し、第２の移動通信端末からセッションを用いて送信された情報を受信したときに中断情報をセッションを用いて第２の移動通信端末に送信する。これにより、セッションが確立する前に第１の移動通信端末が発信を中止した場合であっても、セッションの確立と同時に第２の移動通信端末の着信を中止することができる。従って、第１の移動通信端末が発信を中止した後に第２の移動通信端末が呼び出しに応答することを防止することができる。
【００１４】
本発明に係る移動通信端末は、移動体通信網上において、別の移動通信端末との間に呼接続が確立されることによって通信を行う移動通信端末であって、別の移動通信端末から別の移動通信端末を特定する特定情報を含む着信通知を、移動通信端末と移動体通信網との間で確立される呼接続用のセッション以外の手段によって受信する着信通知受信手段と、着信通知受信手段によって着信通知を受信した場合に、着信通知に応答することを示す応答情報を送信する応答情報送信手段と、着信通知受信手段によって着信通知を受信した場合に、別の移動通信端末の特定情報に基づいて、移動通信端末が呼び出しを開始するように制御する制御手段と、を備えることを特徴とする。
【００１５】
この構成により、別の移動通信端末の特定情報を含む着信通知をセッション以外の手段によって受信した場合に、この着信通知に応答することを示す応答情報を送信する。また、別の移動通信端末の特定情報に基づいて呼び出しを開始する。この場合、発側の別の移動通信端末の特定情報を含む着信通知を受信することで、セッションが確立されていない状態であっても、セッション以外の手段によって着信通知を受信することで移動通信端末において呼び出しを開始することができる。このとき、応答情報を送信することで、セッションの確立がなされる前に早い段階で別の移動通信端末に呼び出し音を再生させることができる。従って、セッションを確立している間、別の移動通信端末が無音状態になることがない。その結果、移動通信端末間の呼接続の確立時におけるユーザの違和感の低減を図ることができる。
【００１６】
また、呼接続の確立が中断されたことを示す中断情報を受信する中断情報受信手段と、中断情報受信手段によって中断情報を受信した場合に、移動通信端末の呼び出しを中断するように制御する制御手段と、を備えることが好適である。この構成により、中断情報を受信した場合には、移動通信端末の呼び出しを中断するように制御する。これにより、例えばセッションが確立する前に別の移動通信端末が発信を中止した場合であっても、移動通信端末の着信を中止することができる。従って、第１の移動通信端末が発信を中止した後に第２の移動通信端末が呼び出しに応答することを防止することができる。
【００１７】
上記の目的を達成するために、本発明に係る通信システムは、移動体通信網上において、別の移動通信端末との間に呼接続が確立されることによって通信を行う移動通信端末と、移動体通信網上において、第１の移動通信端末と第２の移動通信端末との間の呼接続を確立する通信装置とを含む通信システムであって、移動通信端末は、別の移動通信端末から送信された別の移動通信端末を特定する特定情報を含む着信通知を、移動通信端末と移動体通信網との間で確立される呼接続用のセッション以外の手段によって通信装置から受信する着信通知受信手段と、着信通知受信手段によって着信通知を受信した場合に、着信通知に応答することを示す応答情報を通信装置に送信する応答情報送信手段と、着信通知受信手段によって着信通知を受信した場合に、別の移動通信端末の特定情報に基づいて、移動通信端末が呼び出しを開始するように制御する制御手段と、を備え、通信装置は、第１の移動通信端末から第１の移動通信端末を特定する特定情報及び第２の移動通信端末を特定する特定情報を含む呼接続要求を受信する要求受信手段と、要求受信手段によって呼接続要求を受信した場合に、移動通信端末と移動体通信網との間で確立される呼接続用のセッションを用いて第２の移動通信端末との間で情報を送受信できるか否かを判定する判定手段と、判定手段によってセッションを用いて情報の送受信ができないと判定された場合に、要求受信手段によって受信した呼接続要求に基づいて、第２の移動通信端末に第１の移動通信端末の特定情報を含む着信通知をセッション以外の手段によって送信する着信通知送信手段と、着信通知送信手段によって第２の移動通信端末に着信通知を送信したことに応じて、第２の移動通信端末から着信通知に対して応答することを示す応答情報を受信する応答情報受信手段と、応答情報受信手段によって第２の移動通信端末から応答情報を受信した場合に、第１の移動通信端末に呼び出し音の再生を指示する指示情報を送信する指示情報送信手段と、指示情報送信手段によって第１の移動通信端末に指示情報を送信した後、第１の移動通信端末及び第２の移動通信端末の間の呼接続を確立する呼接続確立手段と、を備えることを特徴とする。
【００１８】
この構成により、第１の移動通信端末（別の移動通信端末）から呼接続の確立要求が受信されると、セッションを用いて第２の移動通信端末（移動通信端末）と情報の送受信ができるか否かが判定され、セッションを用いて情報の送受信ができないと判定された場合には、セッション以外の手段によって着信通知が第２の移動通信端末に送信される。そして、この着信通知を送信したことに応じて第２の移動通信端末から応答情報が受信された場合には、第１の移動通信端末に呼び出し音の再生を指示する指示情報が送信される。これにより、第２の移動通信端末において、呼接続用のセッション（例えば、ＩＭＳ用のＰＤＰコンテキスト）を確立する前に、着信通知をセッション以外の手段によって受信することができるので、第２の移動通信端末が呼び出しを開始できる。そのため、その呼び出しに応じて第１の移動通信端末の呼び出し音を再生させるための指示情報を早いタイミングで送信することができる。従って、セッションを新たに確立するために時間を要した場合であっても、セッションが確立するまでの間、第１の移動通信端末では呼び出し音が再生され、第１の移動通信端末が無音状態になることがない。その結果、移動通信端末間の呼接続の確立時におけるユーザの違和感の低減を図ることができる。
【００１９】
ところで、本発明は、上記のように通信装置、移動通信端末、通信システムの発明として記述できる他に、以下のように通信方法の発明としても記述することができる。これはカテゴリが異なるだけで、実質的に同一の発明であり、同様の作用及び効果を奏する。
【００２０】
即ち、本発明に係る通信方法は、移動体通信網上において、第１の移動通信端末と第２の移動通信端末との間の呼接続を確立する通信装置による通信方法であって、第１の移動通信端末から第１の移動通信端末を特定する特定情報及び第２の移動通信端末を特定する特定情報を含む呼接続要求を受信する要求受信ステップと、要求受信ステップにおいて呼接続要求を受信した場合に、移動通信端末と移動体通信網との間で確立される呼接続用のセッションを用いて第２の移動通信端末との間で情報を送受信できるか否かを判定する判定ステップと、判定ステップにおいてセッションを用いて情報の送受信ができないと判定された場合に、要求受信手段によって受信した呼接続要求に基づいて、第２の移動通信端末に着信通知をセッション以外の手段によって送信する着信通知送信ステップと、着信通知送信ステップにおいて第２の移動通信端末に着信通知を送信したことに応じて、第２の移動通信端末から着信通知に対して応答することを示す応答情報を受信する応答情報受信ステップと、応答情報受信ステップにおいて第２の移動通信端末から応答情報を受信した場合に、第１の移動通信端末に呼び出し音の再生を指示する指示情報を送信する指示情報送信ステップと、指示情報送信ステップにおいて第１の移動通信端末に指示情報を送信した後、第１の移動通信端末及び第２の移動通信端末の間の呼接続を確立する呼接続確立ステップと、を含むことを特徴とする
【００２１】
また、本発明に係る通信方法は、移動体通信網上において、別の移動通信端末との間に呼接続が確立されることによって通信を行う移動通信端末による通信方法であって、別の移動通信端末から別の移動通信端末を特定する特定情報を含む着信通知を、移動通信端末と移動体通信網との間で確立される呼接続用のセッション以外の手段によって受信する着信通知受信ステップと、着信通知受信ステップにおいて着信通知を受信した場合に、着信通知に応答することを示す応答情報を送信する応答情報送信ステップと、着信通知受信ステップにおいて着信通知を受信した場合に、別の移動通信端末の特定情報に基づいて、移動通信端末が呼び出しを開始するように制御する制御ステップと、を含むことを特徴とする。
【００２２】
また、本発明に係る通信方法は、移動体通信網上において、別の移動通信端末との間に呼接続が確立されることによって通信を行う移動通信端末と、移動体通信網上において、第１の移動通信端末と第２の移動通信端末との間の呼接続を確立する通信装置とを含む通信システムによる通信方法であって、移動通信端末が、別の移動通信端末から送信された別の移動通信端末を特定する特定情報を含む着信通知を、移動通信端末と移動体通信網との間で確立される呼接続用のセッション以外の手段によって通信装置から受信する着信通知受信ステップと、着信通知受信ステップにおいて着信通知を受信した場合に、着信通知に応答することを示す応答情報を通信装置に送信する応答情報送信ステップと、着信通知受信ステップにおいて着信通知を受信した場合に、別の移動通信端末の特定情報に基づいて、移動通信端末が呼び出しを開始するように制御する制御ステップと、を含み、通信装置が、第１の移動通信端末から第１の移動通信端末を特定する特定情報及び第２の移動通信端末を特定する特定情報を含む呼接続要求を受信する要求受信ステップと、要求受信ステップにおいて呼接続要求を受信した場合に、移動通信端末と移動体通信網との間で確立される呼接続用のセッションを用いて第２の移動通信端末との間で情報を送受信できるか否かを判定する判定ステップと、判定ステップにおいてセッションを用いて情報の送受信ができないと判定された場合に、要求受信手段によって受信した呼接続要求に基づいて、第２の移動通信端末に着信通知をセッション以外の手段によって送信する着信通知送信ステップと、着信通知送信ステップにおいて第２の移動通信端末に着信通知を送信したことに応じて、第２の移動通信端末から着信通知に対して応答することを示す応答情報を受信する応答情報受信ステップと、応答情報受信ステップにおいて第２の移動通信端末から応答情報を受信した場合に、第１の移動通信端末に呼び出し音の再生を指示する指示情報を送信する指示情報送信ステップと、指示情報送信ステップにおいて第１の移動通信端末に指示情報を送信した後、第１の移動通信端末及び第２の移動通信端末の間の呼接続を確立する呼接続確立ステップと、を含むことを特徴とする。
【発明の効果】
【００２３】
本発明によれば、音声発着信において、着信側の移動通信端末が呼接続用のセッションを確立する前にセッション以外の手段によって着信通知を受信することができる。そのため、発信側の移動通信端末の呼び出し音を再生させるための指示情報を早いタイミングで送信することができ、セッションを確立するために時間を要した場合であっても、セッションが確立するまでの間、発信側の移動通信端末では呼び出し音が再生され、発信側の移動通信端末が無音状態になることがない。その結果、移動通信端末間の呼接続の確立時におけるユーザの違和感の低減を図ることができる。
【発明を実施するための最良の形態】
【００２４】
以下、図面と共に本発明に係る通信装置、移動通信端末、通信システム、及び通信方法の好適な実施形態について詳細に説明する。なお、図面の説明においては同一要素には同一符号を付し、重複する説明を省略する。
【００２５】
図１に本発明の一実施形態に係る通信装置を含む通信システムの構成を示す。同図に示すように、通信システム１は、移動通信端末２ａ，２ｂと、ＳＩＰ（Session Initiated Protocol）サーバ（通信装置）３と、ＧＰＲＳ（General PacketRadio Service）交換機４とを含んで構成されている。ＳＩＰサーバ３は、コアネットワークであるＩＭＳ（IP Multimedia Subsystem）ネットワークＮ１に含まれている。ＧＰＲＳ交換機４は、ＧＰＲＳネットワークＮ２に含まれている。移動通信端末２ａ，２ｂは、ＧＰＲＳネットワークＮ２を介して別の移動通信端末２ａ，２ｂとの間で無線通信を行う。移動通信端末２ａ，２ｂ間の通信は、それぞれの移動通信端末２ａ，２ｂとＧＰＲＳネットワークＮ２との間にセッションが確立されて行われる。また、通信システム１は、上記の構成要素以外に、加入者情報管理サーバ５を含んでいる。なお、図１には、移動通信端末２ａ，２ｂは２つしか示されていないが、移動体通信システム１には、通常、無数の移動通信端末２ａ，２ｂが含まれている。また、図１には、移動通信端末２ｂと直接通信を行うＧＰＲＳ交換機４しか示されていないが、移動通信端末２ａと直接通信を行うＧＰＲＳ交換機も設けられている。
【００２６】
ＩＭＳネットワークＮ１は、ＳＩＰを用い、データ通信だけでなく音声や動画のリアルタイム通信を実現するマルチメディアサービスを提供できるネットワークである。また、ＧＰＲＳネットワークＮ２は、移動通信端末２ａ，２ｂの接続対象であり、移動通信端末２ａ，２ｂに移動体通信を可能にさせる移動体通信網である。なお、通常、ＧＰＲＳネットワークＮ２には、図示しない複数の基地局やＲＮＣ（Radio Network Controller：無線ネットワーク制御装置）が含まれている。また、ＧＰＲＳネットワークＮ２は、インターネット（図示しない）にも接続されており、移動通信端末２ａ，２ｂは、ＧＰＲＳネットワークＮ２を介してインターネットにも接続可能となっている。
【００２７】
移動通信端末２ａ，２ｂは、例えば携帯電話機であり、自機が在圏する無線エリアをカバーする基地局と無線通信を行い、ＧＰＲＳネットワークＮ２に接続して、ユーザの操作に応じて、ＧＰＲＳネットワークＮ２における通話サービス又はパケット通信サービスを受ける通信端末である。
【００２８】
ＳＩＰサーバ３は、ＩＭＳネットワークＮ１に含まれると共にＧＰＲＳネットワークＮ２（ＧＰＲＳ交換機４）と接続されており、ＳＩＰに係る機能を提供するサーバ装置である。ＳＩＰに係る機能は、ＳＩＰ登録機能、ＳＩＰ転送機能等である。ここで、ＳＩＰ登録機能は、移動通信端末２ａ，２ｂがＳＩＰによる通信が可能とするために加入者情報（移動通信端末に係る情報）を登録する加入者情報管理サーバ５に登録（ＳＩＰ登録）する機能である。なお、ＳＩＰ登録を行うためには、移動通信端末２ａ，２ｂとＧＰＲＳ交換機４との間でセッションが確立されていることが必要となる。セッションついては、後述する。ＳＩＰサーバ３は、通信システム１に複数含まれている。
【００２９】
ＧＰＲＳ交換機４は、移動通信端末２ａ，２ｂとの間で信号の送受信を行い、移動通信端末２ａ，２ｂの通信のための接続を確立させるための装置である。ＧＰＲＳ交換機４は、移動通信端末２ａ，２ｂとＧＰＲＳ交換機４との間のセッションを確立させる機能を有する。具体的には、ＧＰＲＳ交換機４は、ＧＰＲＳネットワークＮ２を使って、音声発着信をするためのＩＭＳ（呼接続）用のＰＤＰコンテキスト（セッション）を確立する。このＩＭＳ用のＰＤＰコンテキストが確立されることにより、移動通信端末２ａ，２ｂとＳＩＰサーバ３との間でＳＩＰによる通信が可能となる。また、ＧＰＲＳ交換機４は、インターネットと通信をするためのインターネット用のＰＤＰコンテキスト（セッション）を確立する。なお、これら２つのＰＤＰコンテキストは、同時に確立することができない。また、ＧＰＲＳ交換機４は、ＳＩＰサーバ３との間で信号を送受信し、ＳＩＰサーバ３から送信された信号（情報）を移動通信端末２ａ，２ｂにＳＭＳ（Short Message Service）によって通知する機能を有している。ＳＭＳは、ＩＭＳ用のＰＤＰコンテキストを用いないで情報を送信する手段であり、ＩＭＳ用のＰＤＰコンテキストが確立されていない場合に用いられる。なお、本実施形態では、セッション以外の手段をＳＭＳとしているが、その他のセッション以外の手段であってもよい。
【００３０】
加入者情報管理サーバ５は、移動通信端末２ａ，２ｂが通信を行うために必要な各移動通信端末２ａ，２ｂに対応する情報を管理するサーバである。加入者情報管理サーバ５は、上述のように、ＳＩＰサーバ３からＳＩＰ登録を受け付けて、このＳＩＰ登録に係る情報を保持する。なお、図１では、加入者情報管理サーバ５がＩＭＳネットワークＮ１に含まれない構成となっているが、ＩＭＳネットワークに含まれる構成であってもよい。
【００３１】
図２は、移動通信端末２ａ，２ｂのハードウェア構成を示す図である。図２に示すように、移動通信端末２ａ，２ｂは、ＣＰＵ（Central Processing Unit）２１、ＲＡＭ（Random Access Memory）２２、ＲＯＭ（Read OnlyMemory）２３、操作部２４、無線通信部２５、ディスプレイ２６、及びアンテナ２７等のハードウェアにより構成されている。これらの構成要素が動作することにより、以下に説明する移動通信端末２ａ，２ｂの各機能が発揮される。
【００３２】
図３は、ＳＩＰサーバ３のハードウェア構成を示す図である。図３に示すように、ＳＩＰサーバ３は、ＣＰＵ３１、主記憶装置であるＲＡＭ３２及びＲＯＭ３３、ネットワークカード等のデータ送受信デバイスである通信モジュール３４、並びにハードディスク等の補助記憶装置３４等のハードウェアを備えるコンピュータとして構成される。これらの構成要素が動作することにより、ＳＩＰサーバ３の後述する機能が発揮される。なお、ＧＰＲＳ交換機４及び加入者情報管理サーバ５も、同様のハードウェア構成を有する。
【００３３】
引き続いて、移動通信端末２ａ，２ｂ、ＳＩＰサーバ３、及びＧＰＲＳ交換機４の機能について説明する。
【００３４】
図４は、移動通信端末２ａ，２ｂの構成を示すブロック構成図である。図４に示すように、移動通信端末２ａ，２ｂは、要求送信部２０１と、特定情報格納部２０２と、着信通知受信部２０３と、通信判定部２０４と、応答情報送信部２０５と、セッション確立要求部２０６と、ＳＩＰ登録要求部２０７と、指示情報受信部２０８と、中断情報受信部２０９と、制御部２１０とを備えている。なお、移動通信端末２ａ，２ｂは、通話を行うための通話機能や通信を行うための通信機能等を更に備えている。また、以下において、説明の便宜上、発信側を移動通信端末２ａ、着信側を移動通信端末２ｂとする。
【００３５】
要求送信部２０１は、移動通信端末２ａ，２ｂとの間の呼接続の確立を要求する要求情報（INVITE、括弧内に示す信号名はＧＰＲＳ（General Packet Radio Service）に準拠するものである。以下同様）を、ＧＰＲＳネットワークＮ２を介してＳＩＰサーバ３に送信する。要求送信部２０１は、ユーザの指示に基づいて、特定情報格納部２０２を参照し、呼接続の確立の要求先である移動通信端末を特定する特定情報を抽出する。特定情報格納部２０２には、呼接続の対象となるユーザの特定情報が例えばユーザ名等と対応付けて格納されている。そして、要求送信部２０１は、その特定情報及び自機の特定情報（発信者情報）を要求情報と共にＳＩＰサーバ３に送信する。なお、特定情報としては、移動通信端末２ａ，２ｂを識別できる例えば電話番号等が挙げられる。
【００３６】
着信通知受信部２０３は、移動通信端末２ａからこの移動通信端末２ａを特定する特定情報を含む着信通知を受信する着信通知受信手段である。着信通知受信部２０３は、ＧＰＲＳ交換機４からＳＭＳによって着信通知を受信する。着信通知受信部２０３は、着信通知を受信した旨を示す着信情報を応答送信部２０５、及び通信判定部２０４に出力する。また、着信通知受信部２０３は、移動通信端末２ａの特定情報が含まれた着信情報を制御部２１０に出力する。
【００３７】
通信判定部２０４は、着信通知受信部２０３から着信情報を受け取ると、着信通知部２０３によって受信された着信通知がＳＭＳによって受信された否かを判定する。通信判定部２０４は、着信通知受信部２０３が着信通知を受信した場合に、着信通知がＧＰＲＳ交換機４からＳＭＳによって受信されたか否かを判定し、ＳＭＳによって受信されたと判定した場合には、セッション要求部２０６にその旨を示す通信情報を出力する。なお、ＧＰＲＳ交換機４からＳＭＳによって着信通知受信部２０３が着信通知を受信した場合には、ＩＭＳ用のＰＤＰコンテキストが確立されていない事を示している。一方、ＳＩＰサーバ３からＳＩＰによって着信通知を着信通知受信部２０３が受信した場合には、ＩＭＳ用のＰＤＰコンテキストが確立されていることを示している。
【００３８】
応答情報送信部２０５は、着信通知受信部２０３によって着信通知を受信した場合に、着信通知に応答することを示す応答情報を送信する応答情報送信手段である。この応答情報は、発着信の処理ができるか否かを確認するための情報であり、ユーザの意思による応答とは異なり移動通信端末２ｂから自動的に送信される。応答情報送信部２０５は、着信通知受信部２０３から着信情報を受け取ると、着信通知に応答することを示す応答情報をＧＰＲＳ交換機４にＳＭＳによって送信する。
【００３９】
セッション確立要求部２０６は、通信判定部２０４から通信情報を受け取ると、ＩＭＳ用のＰＤＰコンテキストの確立を要求する確立要求をＧＰＲＳ交換機４に送信する。また、セッション要求部２０６は、インターネット用のＰＤＰコンテキストが確立されている場合に、ＧＰＲＳ交換機４にＩＭＳ用のＰＤＰコンテキストに張替え（確立）を要求する確立要求をＧＰＲＳ交換機４に送信する。
【００４０】
ＳＩＰ登録要求部２０７は、セッション確立要求部２０６からＧＰＲＳ交換機４に送信された確立要求に応じて、ＧＰＲＳ交換機４との間でセッションが確立された場合に、ＳＩＰサーバ３にＳＩＰ登録を要求するＳＩＰ登録要求（Register）を送信する。なお、移動通信端末２ｂとＧＰＲＳ交換機４との間で既にセッション確立されている場合には、移動通信端末２ｂとＳＩＰサーバ３との間でＳＩＰ登録が既に完了している。
【００４１】
指示情報受信部２０８は、ＳＩＰサーバ３から呼び出し音（以下、ＲＢＴ）を再生させるための指示情報を受信する。指示情報受信部２０８は、指示情報（180 Ringing）を受信すると、制御部２１０にＲＢＴを再生させるための再生情報を出力する。
【００４２】
中断情報受信部２０９は、呼接続の確立が中断されたことを示す中断情報を受信する中断情報受信手段である。中断情報受信部２０９は、ＧＰＲＳ交換機４からＳＭＳによって中断情報（キャンセル）を受信し、その中断情報を制御部２１０に出力する。また、中断情報受信部２０９は、例えば応答情報送信部２０５がＳＩＰサーバ３に登録要求を送信した際に、ＳＩＰサーバ３からこのタイミングで中断情報（Message）を受信し、その中断情報を制御部２１０に出力する。この中断情報（Message）は、ＰＤＰコンテキストが確立された後に、ＳＩＰサーバ３からＳＩＰの転送機能によって送信される。つまり、中断情報は、移動通信端末２ａ，２ｂ間の呼接続が確立される前に受信される。
【００４３】
制御部２１０は、着信通知受信部２０１によって着信通知を受信した場合に、移動通信端末２ａの特定情報に基づいて、移動通信端末２ｂが呼び出しを開始するように制御する制御手段である。制御部２１０は、着信通知受信部２０１から着信情報を受け取ると、移動通信端末２ｂの呼び出し（着信があったことのユーザへの通知）（Ringing）を開始する（例えばスピーカーから着信音を再生すると共に、ディスプレイ２６に移動通信端末２ａの特定情報に基づいて着信先を示す情報を表示する）。この呼び出しに対して、例えばユーザから応答する旨の入力等が行われる。この後の処理については後述する。また、制御部２１０は、指示情報受信部２０８から再生情報を受信すると、移動通信端末２ａのＲＢＴを再生するように制御する。
【００４４】
また、制御部２１０は、中断情報受信部２０９によって中断情報を受信した場合に、移動通信端末２ｂの呼び出しを中断するように制御する制御手段である。制御部２０１は、中断情報受信部２０９から中断情報を受け取ると、移動通信端末２ｂの無線通信部２５を制御し、ＧＰＲＳネットワークＮ２との接続を中断することにより移動通信端末２ｂの呼び出しを中断する。
【００４５】
図５は、ＳＩＰサーバ３の構成を示すブロック構成図である。図５に示すように、ＳＩＰサーバ３は、要求受信部３０１と、セッション判断部３０２と、着信通知送信部３０３と、応答情報受信部３０４と、指示情報送信部３０５と、ＳＩＰ登録部３０６と、中断要求情報受信部３０７と、中断情報送信部３０８と、呼接続確立部３０９とを備えている。
【００４６】
要求受信部３０１は、移動通信端末２ａからこの移動通信端末２ａを特定する特定情報及び移動通信端末２ｂを特定する特定情報を含む呼接続要求を受信する要求受信手段である。要求受信部３０１は、移動通信端末２ａからＩＭＳ用のＰＤＰコンテキストを用いたＳＩＰによって受信した呼接続要求（INVITE）をセッション判定部３０２及び着信通知送信部３０３に出力する。
【００４７】
セッション判定部３０２は、要求受信部３０１によって呼接続要求を受信した場合に、移動通信端末２ｂとＧＰＲＳネットワークＮ２との間で確立されるＩＭＳ用のＰＤＰコンテキスト（呼接続用のセッション）を用いて移動通信端末２ｂとの間で情報を送受信できるか否かを判定する判定手段である。具体的に、セッション判定部３０２は、要求受信部３０１から呼接続要求を受け取ると、ＩＭＳ用のＰＤＰコンテキストを用いて移動通信端末２ｂと情報の送受信ができるか否か、すなわち移動通信端末２ｂとＧＰＲＳネットワークＮ２との間にＩＭＳ用のＰＤＰコンテキストが確立されているか否かを判定し、その判定結果を示す判定情報を着信通知送信部３０２に出力する。また、セッション判定部３０２は、中断要求情報受信部３０７が後述する中断要求情報を受け取ると、ＩＳＭ用のＰＤＰコンテキストを用いて移動通信端末２ｂと情報の送受信ができるか否かを判定し、その判定結果を示す判定情報を中断情報送信部３０８に出力する。なお、ＩＭＳ用のＰＤＰコンテキストを用いて移動通信端末２ｂと情報の送受信ができるか否かの判定は、加入者情報管理サーバ５を参照し、移動通信端末２ｂがＳＩＰ登録されているか否かに基づいて行われる。
【００４８】
着信通知送信部３０３は、セッション判定部３０２によってＩＭＳ用のＰＤＰコンテキストを用いて情報の送受信ができないと判定された場合に、要求受信部３０１によって受信した呼接続要求に基づいて、移動通信端末２ｂに着信通知をＳＭＳによって送信する着信通知送信手段である。着信通知送信部３０３は、セッション判定部３０２から判定情報を受け取り、その判定情報がＩＭＳ用のＰＤＰコンテキストを用いて情報の送受信ができないことを示している場合には、要求受信部３０１から受け取った呼接続要求に基づいて、移動通信端末２ｂにＳＭＳによる着信通知の送信を指示する送信指示情報をＧＰＲＳ交換機４に送信する。また、着信通知部３０３は、判定情報がＩＭＳ用のＰＤＰコンテキストで情報の送受信ができるとことを示している場合には、ＳＩＰ転送によって移動通信端末２ｂに着信通知（INVITE）を送信する。なお、着信通知送信部３０３は、呼接続要求の要求先の移動通信端末２ｂが通信可能な基地局の在圏エリアに在圏していない場合には、着信通知を送信しない。
【００４９】
応答情報受信部３０４は、着信通知送信部３０３によって移動通信端末２ｂにＧＰＲＳ交換機４を介して着信通知を送信したことに応じて、移動通信端末２ｂから着信通知に対して応答することを示す応答情報を受信する応答情報受信手段である。応答情報受信部３０４は、ＧＰＲＳ交換機４を介して受信した応答情報を指示情報送信部３０５に出力する。
【００５０】
指示情報送信部３０５は、移動通信端末２ａにＲＢＴの再生を指示する指示情報を送信する指示情報送信手段である。指示情報送信部３０５は、応答情報受信部３０４から応答情報を受け取ると、移動通信端末２ａにＲＢＴの再生を指示する指示情報（180 Ringing）をＩＭＳ用のＰＤＰコンテキストを用いたＳＩＰによって送信する。また、指示情報送信部３０５は、指示情報を送信したことを示す送信情報を呼接続確立部３０９に出力する。
【００５１】
ＳＩＰ登録部３０６は、移動通信端末２ｂからＳＩＰ登録要求を受信すると、移動通信端末２ｂのＳＩＰの登録処理をする。ＳＩＰ登録部３０６は、移動通信端末２ｂの登録を行った際には、加入者情報管理サーバ５にＳＩＰの登録に係る移動通信端末２ｂを特定する情報に対応付けて登録した旨の情報を格納させる。ＳＩＰ登録部３０６は、移動通信端末２ｂのＳＩＰ登録が完了したことを示す登録情報（200 OK）をＳＩＰの転送機能によって移動通信端末２ｂに送信すると共に、中断情報送信部３０８及び呼接続確立部３０９に出力する。
【００５２】
中断要求情報受信部３０７は、呼接続確立部３０９によって移動通信端末２ａ及び移動通信端末２ｂの間の呼接続の確立を行う前の状態において、移動通信端末２ａから呼接続の確立の中断を要求する中断要求情報を受信する中断要求情報受信手段である。中断要求情報受信部３０７は、移動通信端末２ａからＩＭＳ用のＰＤＰコンテキストを用いたＳＩＰによって受信した中断要求情報（Cancel）を中断情報送信部３０８に出力する。なお、中断要求情報受信部３０７は、呼接続確立部３０９によって移動通信端末２ａ，２ｂ間の呼接続が確立した後には、移動通信端末２ａから中断要求情報を受信しない。
【００５３】
中断情報送信部３０８は、中断要求情報受信部３０７によって中断要求情報を受信し、セッション判定部３０２によってＩＭＳ用のＰＤＰコンテキストを用いて情報の送受信ができないと判定された場合に、呼接続の確立が中断されたことを示す中断情報を移動通信端末２ｂにＳＭＳによって送信する中断情報送信手段である。中断情報送信部３０８は、セッション判定部３０２から判定情報を受け取り、その判定情報がＩＭＳ用のＰＤＰコンテキストを用いて情報の送受信ができないことを示している場合には、中断要求情報受信部３０７から受け取った中断情報を移動通信端末２ｂにＳＭＳによる送信を指示するための送信指示情報をＧＰＲＳ交換機４に送信する。中断情報送信部３０８は、移動通信端末２ｂに中断情報を送信した旨を示す送信完了情報を呼接続確立部３０９に出力する。
【００５４】
呼接続確立部３０９は、指示情報送信部３０５によって移動通信端末２ａに指示情報を送信した後、移動通信端末２ａ及び移動通信端末２ｂの間の呼接続を確立する呼接続確立手段である。呼接続確立部３０９は、指示情報送信部３０５から送信情報及びＳＩＰ登録部３０６から登録情報を受け取り、ＩＭＳ用のＰＤＰコンテキストを用いて移動通信端末２ｂと情報の送受信が可能な場合に、移動通信端末２ｂに呼接続要求（INVITE）をＩＭＳ用のＰＤＰコンテキストを用いたＳＩＰによって送信する。そして、呼接続確立部３０９は、呼接続要求を移動通信端末２ｂに送信したことに応じて、移動通信端末２ａから着信に応答する旨の呼接続に対する着信応答情報（200OK）をＩＭＳ用のＰＤＰＤコンテキストを用いたＳＩＰによって受信すると、その着信応答情報（200 OK）をＳＩＰの転送機能によってＩＭＳ用のＰＤＰコンテキストを用いて移動通信端末２ａに送信し、移動通信端末２ａ，２ｂ間の呼接続を確立する。この着信応答情報は、ユーザの意思によって送信される情報である。また、呼接続確立部３０９は、中断情報送信部３０８から送信完了情報を受け取ると、移動通信端末２ａ，２ｂ間の呼接続の確立を中断する。
【００５５】
図６は、ＧＰＲＳ交換機４の構成を示すブロック構成図である。図６に示すように、ＧＰＲＳ交換機４は、転送部４０１と、セッション確立部４０２とを備えている。
【００５６】
転送部４０１は、移動通信端末２ａ，２ｂ又はＳＩＰサーバ３から送信された情報を移動通信端末２ａ，２ｂ又はＳＩＰサーバ３に転送する。具体的に、転送部４０１は、ＳＩＰサーバ３から送信された着信通知を含む送信指示情報を受信し、その送信指示情報に応じて着信通知をＳＭＳによって移動通信端末２ｂに転送する。また、転送部４０１は、移動通信端末２ｂから送信された応答情報を受信し、その応答情報をＳＩＰサーバ３に通知する。さらに、転送部４０１は、ＳＩＰサーバ３から中断情報を含む送信指示情報を受信し、その送信指示情報に応じて中断情報をＳＭＳによって移動通信端末２ｂに転送する。
【００５７】
セッション確立部４０２は、移動通信端末２ａ，２ｂとＧＰＲＳネットワークＮ２との間にセッションを確立、すなわちＰＤＰコンテキストを確立する。セッション確立部４０２は、移動通信端末２ａ，２ｂからセッション確立要求を受信すると、そのセッション確立要求に応じて、インターネット用又はＩＭＳ用のＰＤＰコンテキストを確立する。
【００５８】
引き続いて、図７を参照して、本実施形態に係る通信システム１で実行される処理（通信方法）について説明する。図７は、通信システム１の処理を示すシーケンス図である。なお、図７においては、ＩＭＳ用のＰＤＰコンテキストが確立（設定）されていないものとする。
【００５９】
図７に示すように、まず移動通信端末２ａから呼接続の確立を要求する要求情報（INVITE）が要求送信部２０１によって送信される（Ｓ０１）。なお、この着信通知には、着信先を特定するために、着側移動通信端末２ｂの特定情報及び移動通信端末２ａの特定情報（発信者情報）が含められている。移動通信端末２ａから送信された要求情報は、ＳＩＰサーバ３の要求受信部３０１によって受信され（要求受信ステップ）、セッション判定部３０２によってＩＭＳ用のＰＤＰコンテキストを用いて移動通信端末２ｂと情報の送受信ができるか否かが判定される（Ｓ０２、判定ステップ）。ＩＭＳ用のＰＤＰコンテキストを用いて移動通信端末２ｂと情報の送受信ができないと判定された場合には、着信通知送信部３０３によって着信通知を含む送信指示情報がＧＰＲＳ交換機４へと送信される（Ｓ０３、着信通知送信ステップ）。なお、ステップＳ０２において、ＩＭＳ用のＰＤＰコンテキストを用いて移動通信端末２ｂと情報の送受信ができると判定された場合、つまり移動通信端末２ｂとＧＰＲＳ交換機４との間にＩＭＳ用のＰＤＰコンテキストが確立している場合には、ステップＳ１３に進む。
【００６０】
ＳＩＰサーバ３から送信された着信通知は、ＧＰＲＳ交換機４の転送部４０１によって受信され、移動通信端末２ｂにＳＭＳによって転送される（Ｓ０４）。なお、この着信通知には、発側を特定するために、発側移動通信端末２ａの特定情報が含められている。ＧＰＲＳ交換機４からＳＭＳによって転送された着信通知は、移動通信端末２ｂの着信通知受信部２０３によって受信され（着信通知受信ステップ）、制御部２１０によって移動通信端末２ｂの呼び出しが（Ringing）が開始される（Ｓ０５）。移動通信端末２ｂのユーザは、この呼び出し（着信音の再生等）に応じて、移動通信端末２ａから着信があることを認識する。
【００６１】
次に、移動通信端末２ｂの応答情報送信部２０５によって、着信通知に応答する応答情報がＧＰＲＳ交換機４にＳＭＳによって送信される（Ｓ０６、応答送信ステップ）。移動通信端末２ｂから送信された応答情報は、ＧＰＲＳ交換機４の転送部４０１によって受信され、ＳＩＰサーバ３に転送される（Ｓ０７）。そして、ＧＰＲＳ交換機４から転送された応答情報は、ＳＩＰサーバ３の応答情報受信部３０４によって受信され（応答受信ステップ）、応答情報が受信されたことに応じて、指示情報送信部３０５によって移動通信端末２ａに指示情報がＩＭＳ用のＰＤＰコンテキストを用いたＳＩＰによって送信される（Ｓ０８、指示情報送信ステップ）。
【００６２】
ＳＩＰサーバ３によって送信された指示情報は、移動通信端末２ａの指示情報受信部２０８よって受信され、その指示情報に応じて、制御部２１０によって移動通信端末２ａにＲＢＴが再生される（Ｓ０９）。
【００６３】
また、移動通信端末２ｂでは、ＧＰＲＳ交換機４に応答情報が送信された後に、セッション確立要求部２０６によってＧＰＲＳ交換機４にセッション確立要求が送信され、それを受信したＧＰＲＳ交換機４のセッション確立部４０２によって、ＧＰＲＳ交換機４との間でＩＭＳ用のＰＤＰコンテキストの確立が行われる（Ｓ１０）。そして、移動通信端末２ｂとＧＰＲＳ交換機４との間にＩＭＳ用のＰＤＰコンテキストが確立されると、移動通信端末２ｂのＳＩＰ登録要求部２０７によってＳＩＰサーバ３にＳＩＰ登録要求（Register）が送信される（Ｓ１１）。移動通信端末２ｂから送信されたＳＩＰ登録要求は、ＳＩＰサーバ３のＳＩＰ登録部３０６によって受信され、ＳＩＰ登録要求に応じて移動通信端末２ｂのＳＩＰの登録処理が行われる。そして、ＳＩＰ登録要求が完了すると、ＳＩＰ登録部３０６によって登録情報（200OK）が移動通信端末２ｂに送信される（Ｓ１２）。
【００６４】
続いて、ＳＩＰサーバ３の呼接続確立部３０９からＩＭＳ用のＰＤＰコンテキストを用いたＳＩＰによって、移動通信端末２ｂに着信通知（INVITE）が送信される（Ｓ１３）。このとき、移動通信端末２ｂのユーザによって着信に対して応答する旨の入力がなされると、呼接続要求に対する着信応答情報（200OK）が移動通信端末２ｂから送信される（Ｓ１４）。なお、着信に対して応答する旨の入力は、ステップＳ０５〜ステップＳ１５までの間になされてよく、この場合にはステップＳ１３において着信通知（INVITE）が移動通信端末２ｂに送信されるまで保持される。移動通信端末２ｂから送信された着信応答情報は、ＳＩＰサーバ３によって受信され、移動通信端末２ａに送信される（Ｓ１５）。このように、ＳＩＰサーバ３の呼接続確立部３０９によって移動通信端末２ａ，２ｂ間の呼接続が確立される（Ｓ１６、呼接続確立ステップ）。従来の通信システムでは、ステップＳ１３において着信通知が送信された後に移動通信端末の呼び出しが開始されていたが、本実施形態では、ステップＳ０４において特定情報を含む着信通知をＳＭＳによって送信することで、移動通信端末２ｂの呼び出しを開始することができる。
【００６５】
次に、図８を参照して、本実施形態に係る通信システム１で実行される呼接続の中断処理について説明する。図８は、通信システム１の呼接続の中断処理を示すシーケンス図である。なお、図７に示す手順と同様の手順（Ｓ２１〜Ｓ２９）については、説明を省略する。また、図８においては、着信通話のためのＩＭＳ用のＰＤＰコンテキストが確立される前に、移動通信端末２ａから呼接続の中断要求がなされた場合を示す。
【００６６】
図８に示すように、ステップＳ２９において、移動通信端末２ａでＲＢＴが再生された後、ユーザによって呼接続の確立を中断する旨の入力がなれると、移動通信端末２ａからＳＩＰサーバ３に中断要求情報（Cancel）がＩＳＭ用のＰＤＰコンテキストを用いたＳＩＰによって送信される（Ｓ３０）。移動通信端末２ａから送信された中断要求情報は、ＳＩＰサーバ３の中断要求情報受信部３０７によって受信され、その中断要求情報を受信したことに応じて、中断情報送信部３０８によって中断情報を含む送信指示情報がキャンセル通知としてＧＰＲＳ交換機４に送信される（Ｓ３１）。
【００６７】
ＳＩＰサーバ３によって送信された中断情報は、ＧＰＲＳ交換機４の転送部４０１によって受信され、移動通信端末２ｂにＳＭＳによって転送される（Ｓ３２）。そして、ＧＰＲＳ交換機４からＳＭＳによって転送された中断情報は、移動通信端末２ｂの中断情報受信部２０９によって受信され、中断情報が受信されたことに応じて、制御部２１０によって呼び出しが停止される（Ｓ３３）。その後、ＳＩＰサーバ３の呼接続確立部３０９によって、呼接続の確立が中断される（Ｓ３４）。
【００６８】
ところで、通信システム１において、上述のＳＩＰサーバ３、ＧＰＲＳ交換機４、及び移動通信端末２ａ，２ｂの構成を有さない場合では、以下のような不具合が生じるおそれがある。
【００６９】
すなわち、従来の通信システムにおいては、ＳＩＰサーバが発信側の移動通信端末からの呼接続の確立要求(INVITE)を受信し（図７のＳ０１に相当）、そのＧＰＲＳ交換機が着信側の移動通信端末に着信通知をＳＭＳによって通知する（Ｓ０４に相当）。このとき、従来の通信システムでは、ＳＭＳによって送信される着信通知に発側の移動通信端末を特定する特定情報が含まれていない。そして、音声呼接続用のＩＭＳ用のＰＤＰコンテキストが移動通信端末とＧＰＲＳ交換機との間に確立され（Ｓ１０に相当）、ＳＩＰ登録が行われた後（Ｓ１１、Ｓ１２に相当）に、ＳＩＰサーバから移動通信端末にＩＭＳ用のＰＤＰコンテキストを用いたＳＩＰ転送によって着信通知（INVITE）が送信される（Ｓ１３に相当）。この時点で、着信側の移動通信端末が発信側の移動通信端末を認識して呼び出しが開始され、その後、発信側の移動通信端末でＲＢＴが再生されることになる。そのため、発信側の移動通信端末では、上記の一連の処理が完了してからＲＢＴが再生されるので、無音時間が継続することになる。特に、伝播遅延が大きい移動衛星通信システムでは、無音時間が長時間継続するおそれがあり、ユーザが違和感を覚えるといった問題が生じる。
【００７０】
これに対し、上述したように本実施形態によれば、移動通信端末２ａからＳＩＰサーバ３が呼接続の確立要求を受信すると、ＩＭＳ用のＰＤＰコンテキストを用いて移動通信端末２ｂと情報の送受信ができるか否かを判定し、ＩＭＳ用のＰＤＰコンテキストを用いて情報の送受信ができないと判定された場合には、ＧＰＲＳ交換機４がＳＭＳによって着信通知を移動通信端末２ｂに送信する。そして、この着信通知を送信したことに応じて移動通信端末２ｂから応答情報をＳＩＰサーバ３が受信した場合には、移動通信端末２ａに呼び出し音の再生を指示する指示情報を送信する。これにより、移動通信端末２ａにおいて、呼接続用のＩＭＳ用のＰＤＰコンテキストを確立する前に、着信通知をＳＭＳによって受信することができるので、移動通信端末２ｂが呼び出しを開始できる。そのため、その呼び出しに応じて移動通信端末２ａの呼び出し音を再生させるための指示情報を早いタイミングで送信することができる。従って、ＩＭＳ用のＰＤＰコンテキストを新たに確立するために時間を要した場合であっても、ＩＭＳ用のＰＤＰコンテキストが確立するまでの間、移動通信端末２ａでは呼び出し音が再生され、移動通信端末２ａが無音状態になることがない。その結果、移動通信端末２ａ，２ｂ間の呼接続の確立時におけるユーザの違和感の低減を図ることができる。
【００７１】
また、従来の通信システムでは、移動通信端末の呼接続の確立の要求に応じて移動通信端末がＩＭＳ用のＰＤＰコンテキストを確立した後に、移動通信端末に着信通知がなされる（図７のステップＳ１３に相当）。そのため、ＩＭＳ用のＰＤＰコンテキストの確立前に発信側の移動通信端末が発信を中止した場合であっても、着信側の移動通信端末では発信が中止されたことを知り得ないため、ＩＭＳ用のＰＤＰコンテキストが確立されると着信側の移動通信端末の呼び出しが開始される。このとき、移動通信端末が呼び出しに応答した（ユーザが電話に出た）場合には、移動通信端末が発信を中止しているので、無音状態になるといった問題があった。
【００７２】
これに対し、上述したように本実施形態によれば、ＩＭＳ用のＰＤＰコンテキストが確立する前に移動通信端末２ａから呼接続を中断する中断要求情報を受信した場合には、その旨を示す中断情報をＳＭＳによって移動通信端末２ｂに送信する。これにより、ＩＭＳ用のＰＤＰコンテキストが確立する前に移動通信端末２ａが発信を中止した場合であっても、移動通信端末２ｂの着信を中止することができる。従って、移動通信端末２ａが発信を中止した後に移動通信端末２ｂが呼び出しに応答することを防止することができる。
【００７３】
また、移動通信端末２ｂの呼び出しと並行して着信処理（呼接続用のＩＭＳ用のＰＤＰコンテキストを確立）が実施されることにより、従来の通信システムに比べて早いタイミングで移動通信端末２ｂの呼び出しを開始することができる。これにより、移動通信端末２ａからの発信に対して移動通信端末２ｂのユーザが応答するまでの時間が短縮され、従来の通信システムに比べて早いタイミングで通話が開始されることも期待できる。
【００７４】
［変形例］
次に、本発明の変形例に係る通信システムについて説明する。図９は、ＳＩＰサーバ３Ａの構成を示すブロック構成図である。本発明の変形例に係る通信システム１Ａでは、移動通信端末２ａから中断要求情報を受信した場合に、呼接続の確立が中断される旨を示す中断情報を一時的に保持してから移動通信端末２ｂに送信する点で、通信システム１と相違している。具体的には、図９に示すように、ＳＩＰサーバ３Ａは、保持部３１０と、中断情報送信部３１１とを備えている。
【００７５】
保持部３１０は、中断要求情報受信部３０７によって受信された中断情報を一時的に保持する保持手段である。保持部３１０は、中断情報受信部３０７から中断情報を受け取ると、中断情報送信部３１１によって抽出されるまで中断情報を保持する。
【００７６】
中断情報送信部３１１は、移動通信端末２ｂからＩＭＳ用のＰＤＰコンテキストを用いて送信された応答を受信した場合に、保持部３１０に保持されている中断情報を移動通信端末２ｂにＩＭＳ用のＰＤＰコンテキストによって送信する中断情報送信手段である。中断情報送信部３１１は、移動通信端末２ｂからＩＳＭ用のコンテキストを用いた例えばＳＩＰ登録要求をＳＩＰ登録部３０６が受信した場合に、このタイミングで保持部３１０を参照して抽出し、移動通信端末２ｂにＳＩＰの転送機能によって中断情報（Message）を送信する。
【００７７】
続いて、図１０を参照して、本実施形態に係る通信システム１Ａで実行される呼接続の中断処理について説明する。図１０は、通信システム１Ａの呼接続の中断処理を示すシーケンス図である。なお、図７に示す手順と同様の手順（Ｓ４１〜Ｓ４９）については、説明を省略する。
【００７８】
図１０に示すように、ステップＳ４９において、移動通信端末２ａでＲＢＴが再生された後、移動通信端末２ａのユーザよって呼接続の確立を中断する旨の入力がなれると、移動通信端末２ａからＳＩＰサーバ３に中断要求情報（Cancel）がＩＭＳ用のＰＤＰコンテキストを用いたＳＩＰによって送信される（Ｓ５０）。移動通信端末２ａから送信された中断要求情報は、ＳＩＰサーバ３の中断情報受信部３０７によって受信され、保持部３１０に一時的に保持される（Ｓ５１）。
【００７９】
また、ステップＳ５２において、移動通信端末２ｂとＧＰＲＳ交換機４との間にＩＭＳ用のＰＤＰコンテキストが確立されると、移動通信端末２ｂのＳＩＰ登録要求部２０７によってＳＩＰサーバ３にＳＩＰ登録要求（Register）がＩＭＳ用のＰＤＰコンテキストを用いて送信される（Ｓ５３）。移動通信端末２ｂから送信されたＳＩＰ登録要求は、ＳＩＰサーバ３のＳＩＰ登録部３０６によって受信される。このとき、このＳＩＰ登録要求を受信したタイミングで、ＳＩＰサーバ３の中断情報送信部３１１によって、保持部３１０に保持してある中断情報（Message）が移動通信端末２ｂに送信される（Ｓ５４）。そして、ＳＩＰサーバ３よって送信された中断情報は、移動通信端末２ｂの中断情報受信部２０９によって受信され、中断情報が受信されたことに応じて、制御部２１０によって呼び出しが停止される（Ｓ５４）。その後、ＳＩＰサーバ３の呼接続確立部３０９によって、呼接続の確立が中断される（Ｓ５５）。
【００８０】
以上のように、変形例に係る通信システム１Ａにおいても、ＩＭＳ用のＰＤＰコンテキストが確立する前に移動通信端末２ａから呼接続を中断する中断要求情報を受信した場合には、その中断情報を一時的に保持し、移動通信端末２ｂからＰＤＰコンテキストを用いた応答があったときに中断情報をＩＭＳ用のＰＤＰコンテキストを用いて移動通信端末２ｂに送信する。これにより、ＩＭＳ用のＰＤＰコンテキストが確立する前に移動通信端末２ａが発信を中止した場合であっても、ＩＭＳ用のＰＤＰコンテキストの確立と同時に移動通信端末２ｂの着信を中止することができる。従って、移動通信端末２ａが発信を中止した後に移動通信端末２ｂが呼び出しに応答することを防止することができる。
【００８１】
なお、本実施形態においては、中断情報の送信のトリガを、ＩＭＳ用のＰＤＰコンテキストを用いて送信された応答の受信としている。しかし、移動通信端末２ｂにＩＭＳ用のＰＤＰコンテキストが確立されていることが確認できればよいので、必ずしも応答でなくてもよく、ＩＭＳ用のＰＤＰコンテキストを用いて送信された何らかの情報が受信されたことを上記トリガとしてもよい。
【図面の簡単な説明】
【００８２】
【図１】本発明の一実施形態に係る交換機を含む通信システムの構成を示す図である。
【図２】移動通信端末のハードウェア構成を示す図である。
【図３】ＳＩＰサーバのハードウェア構成を示す図である。
【図４】移動通信端末の構成を示すブロック構成図である。
【図５】ＳＩＰサーバの構成を示すブロック構成図である。
【図６】ＧＰＲＳ交換機の構成を示すブロック構成図である。
【図７】通信システムの処理を示すシーケンス図である。
【図８】通信システムの呼接続の中断処理を示すシーケンス図である。
【図９】変形例に係るＳＩＰサーバの構成を示すブロック構成図である。
【図１０】通信システムの呼接続の中断処理を示すシーケンス図である。
【符号の説明】
【００８３】
１…通信システム、２ａ，２ｂ…移動通信端末（第１の移動通信端末、第２の移動通信端末）、３，３Ａ…ＳＩＰサーバ（通信装置）、２０３…着信通知受信部（着信通知受信手段）、２０５…応答送信部（応答情報送信手段）、２０９…中断情報受信部（中断情報受信手段）、２１０…制御部（制御手段）、３０１…要求受信部（要求受信手段）、３０２…セッション判定部（判定手段）、３０３…着信通知送信部（着信通知送信手段）、３０４…応答受信部（応答情報受信手段）、３０６…指示情報送信部（指示情報送信手段）、３０７…中断要求情報受信部（中断要求情報受信手段）、３０８，３１１…中断情報送信部（中断情報送信手段）、３０９…呼接続確立部（呼接続確立手段）、３１０…保持部（保持手段）。
【図１】
2010141811.tif 000003
【図２】
2010141811.tif 000004
【図３】
2010141811.tif 000005
【図４】
2010141811.tif 000006
【図５】
2010141811.tif 000007
【図６】
2010141811.tif 000008
【図７】
2010141811.tif 000009
【図８】
2010141811.tif 000010
【図９】
2010141811.tif 000011
【図１０】
2010141811.tif 000012